【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを管理する管理装置であって、
構成情報取得部であって、前記ゲートウェイ装置，前記第１の装置，および前記第２の装置のうち、少なくとも１つの装置である第１の対象装置から、
（ｉ）前記第１の対象装置が有する接続インタフェースの種別を示す情報と、前記第１の対象装置を特定するための装置特定情報と、を含む構成情報と、
（ｉｉ）前記第１の対象装置に接続されている装置を特定するための接続装置特定情報と、を取得する構成情報取得部と、
前記取得された構成情報に基づき、前記管理装置にネットワークを介して接続されたサーバから、少なくとも前記第１の対象装置に適用されるべきソフトウェアを取得するソフトウェア取得部と、
前記取得されたソフトウェアを、前記第１の対象装置に適用させるソフトウェア適用制御部と、
表示部と、
前記ゲートウェイ装置，前記第１の装置，および前記第２の装置の接続構成を示す接続構成マップを、前記取得された構成情報に基づき前記表示部に表示させるマップ表示制御部であって、
前記表示部において、
前記第１の装置のシンボルを前記第２の装置のシンボルに比べて前記ゲートウェイ装置のシンボルにより近い位置に配置すると共に、前記ゲートウェイ装置，前記第１の装置，および前記第２の装置がそれぞれ有する前記接続インタフェースを判別可能であって、前記ゲートウェイ装置のシンボル，前記第１の装置のシンボル，および前記第２の装置のシンボルを、前記ゲートウェイ装置，前記第１の装置，前記第２の装置の接続態様に合致するように互いに接続した態様で前記接続構成マップを表示させるマップ表示制御部と、
を備える、管理装置。
【請求項２】
請求項１に記載の管理装置において、
前記構成情報取得部は、前記第１の対象装置の装置種別を示す情報を含む前記構成情報を、前記第１の対象装置から取得し、
前記マップ表示制御部は、前記表示部において、前記ゲートウェイ装置，前記第１の装置，および前記第２の装置の装置種別を判別可能に、前記接続構成マップを表示させる、管理装置。
【請求項３】
請求項２に記載の管理装置において、
前記第１の対象装置は、少なくとも前記第１の装置と前記第２の装置とを含み、
前記ソフトウェア取得部は、前記サーバから、前記第１の装置に適用されるべき第１のソフトウェアと、前記第２の装置に適用されるべき第２のソフトウェアと、前記第１のソフトウェアと前記第２のソフトウェアとの適用順序を示す情報である適用順序情報とを取得し、
前記ソフトウェア適用制御部は、前記取得された適用順序情報の示す前記適用順序にしたがって、前記第１のソフトウェアを前記第１の装置に適用させ、前記第２のソフトウェアを前記第２の装置に適用させる、管理装置。
【請求項４】
請求項２に記載の管理装置において、
前記ソフトウェア取得部は、前記サーバから、前記第１の対象装置のうち同一の装置に適用されるべき複数のソフトウェアと、前記複数のソフトウェアの適用順序を示す情報である適用順序情報とを取得し、
前記ソフトウェア適用制御部は、前記取得された適用順序情報の示す前記適用順序にしたがって、前記複数のソフトウェアを、前記同一の装置に適用させる、管理装置。
【請求項５】
請求項１ないし請求項４のいずれかに記載の管理装置において、
前記構成情報は、前記第１の対象装置に適用すべきソフトウェアを特定するためのソフトウェア識別情報を含み、
前記マップ表示制御部は、前記表示部において、前記第１の対象装置のシンボルに対応付けて、前記取得された構成情報に含まれる前記ソフトウェア識別情報を表示させる、管理装置。
【請求項６】
請求項１ないし請求項５のいずれかに記載の管理装置において、さらに、
前記ゲートウェイ装置，前記第１の装置，および前記第２の装置のうち、少なくとも１つの装置である第２の対象装置が有するログ情報を取得するログ情報取得部を備え、
前記マップ表示制御部は、前記表示部において、前記第２の対象装置のシンボルに対応付けて、前記取得されたログ情報を表示させる、管理装置。
【請求項７】
請求項６に記載の管理装置において、
前記構成情報取得部は、前記第１の対象装置の装置種別を示す情報を含む前記構成情報を、前記第１の対象装置から取得し、
前記マップ表示制御部は、
前記表示部において、前記第２の対象装置のシンボルに対応付けて、前記装置種別を示す情報と、前記接続インタフェースを示す情報と、前記装置特定情報と、前記ソフトウェア識別情報と、のうち少なくとも１つの情報である付加情報を表示させ、
前記ログ情報に故障発生を示す情報が含まれていると、前記ログ情報または前記故障発生を示す情報を、前記付加情報に比べて優先させて、前記表示部に表示させる、管理装置。
【請求項８】
請求項１ないし請求項７のいずれかに記載の管理装置において、
前記構成情報は、前記第１の対象装置に適用すべきソフトウェアを特定するためのソフトウェア識別情報を含み、
前記ソフトウェア識別情報は、少なくとも前記ソフトウェアのバージョン情報を含む、管理装置。
【請求項９】
請求項１ないし請求項８のいずれかに記載の管理装置において、
前記第１の装置と前記第２の装置との間の接続インタフェースは、バスインタフェースであり、
前記第１の装置は、前記第２の装置から、前記第２の装置の有する前記構成情報及び前記接続装置特定情報を取得し、
前記構成情報取得部は、前記第１の装置から、前記第２の装置の有する前記構成情報及び前記接続装置特定情報を取得する、管理装置。
【請求項１０】
ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを、管理装置を用いて管理する方法であって、
（ａ）前記管理装置において、前記ゲートウェイ装置，前記第１の装置，および前記第２の装置のうち、少なくとも１つの装置である第１の対象装置から、
（ｉ）前記第１の対象装置が有する接続インタフェースの種別を示す情報と、前記第１の対象装置を特定するための装置特定情報と、を含む構成情報と、
（ｉｉ）前記第１の対象装置に接続されている装置を特定するための接続装置特定情報と、を取得する工程と、
（ｂ）前記管理装置において、前記取得された構成情報に基づき、前記管理装置にネットワークを介して接続されたサーバから、少なくとも前記第１の対象装置に適用されるべきソフトウェアを取得する工程と、
（ｃ）前記管理装置において、前記取得されたソフトウェアを、前記第１の対象装置に適用させる工程と、
（ｄ）前記管理装置において、前記ゲートウェイ装置，前記第１の装置，および前記第２の装置の接続構成を示す接続構成マップを、前記取得された構成情報に基づき、前記管理装置が有する表示部に表示させる工程と、
を備え、
前記工程（ｄ）は、
（ｄ１）前記表示部において、前記第１の装置のシンボルを前記第２の装置のシンボルに比べて前記ゲートウェイ装置のシンボルにより近い位置に配置すると共に、前記ゲートウェイ装置，前記第１の装置，および前記第２の装置がそれぞれ有する前記接続インタフェースを判別可能であって、前記ゲートウェイ装置のシンボル，前記第１の装置のシンボル，および前記第２の装置のシンボルを、前記ゲートウェイ装置，前記第１の装置，前記第２の装置の接続態様に合致するように互いに接続した態様で前記接続構成マップを表示させる工程を有する、方法。
【請求項１１】
ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを、管理装置を用いて管理するプログラムであって、
（ａ）前記管理装置において、前記ゲートウェイ装置，前記第１の装置，および前記第２の装置のうち、少なくとも１つの装置である第１の対象装置から、
（ｉ）前記第１の対象装置が有する接続インタフェースの種別を示す情報と、前記第１の対象装置を特定するための装置特定情報と、を含む構成情報と、
（ｉｉ）前記第１の対象装置に接続されている装置を特定するための接続装置特定情報と、を取得する機能と、
（ｂ）前記管理装置において、前記取得された構成情報に基づき、前記管理装置にネットワークを介して接続されたサーバから、少なくとも前記第１の対象装置に適用されるべきソフトウェアを取得する機能と、
（ｃ）前記管理装置において、前記取得されたソフトウェアを、前記第１の対象装置に適用させる機能と、
（ｄ）前記管理装置において、前記ゲートウェイ装置，前記第１の装置，および前記第２の装置の接続構成を示す接続構成マップを、前記取得された構成情報に基づき、前記管理装置が有する表示部に表示させる機能と、
を前記管理装置が有するコンピュータに実現させ、
前記機能（ｄ）は、
（ｄ１）前記表示部において、前記第１の装置のシンボルを前記第２の装置のシンボルに比べて前記ゲートウェイ装置のシンボルにより近い位置に配置すると共に、前記ゲートウェイ装置，前記第１の装置，および前記第２の装置がそれぞれ有する前記接続インタフェースを判別可能であって、前記ゲートウェイ装置のシンボル，前記第１の装置のシンボル，および前記第２の装置のシンボルを、前記ゲートウェイ装置，前記第１の装置，前記第２の装置の接続態様に合致するように互いに接続した態様で前記接続構成マップを表示させる機能を有する、プログラム。
【請求項１２】
請求項１１に記載のプログラムを記録したコンピュータ読み取り可能な記録媒体。
【手続補正２】
【補正対象書類名】明細書
【補正対象項目名】０００９
【補正方法】変更
【補正の内容】
【０００９】
本発明は、上述の課題の少なくとも一部を解決するためになされたものであり、以下の形態又は適用例として実現することが可能である。
［形態１］ゲートウェイ装置と、前記ゲートウェイ装置に対して他の装置を介さずに直接的に又は他の装置を介して間接的に接続された第１の装置と、前記第１の装置に対して他の装置を介さずに直接的に又は他の装置を介して間接的に接続され、前記ゲートウェイ装置に至るまでに経由する装置の数が前記第１の装置よりも多い第２の装置と、を有するシステムを管理する管理装置であって、
構成情報取得部であって、前記ゲートウェイ装置，前記第１の装置，および前記第２の装置のうち、少なくとも１つの装置である第１の対象装置から、
（ｉ）前記第１の対象装置が有する接続インタフェースの種別を示す情報と、前記第１の対象装置を特定するための装置特定情報と、を含む構成情報と、
（ｉｉ）前記第１の対象装置に接続されている装置を特定するための接続装置特定情報と、を取得する構成情報取得部と、
前記取得された構成情報に基づき、前記管理装置にネットワークを介して接続されたサーバから、少なくとも前記第１の対象装置に適用されるべきソフトウェアを取得するソフトウェア取得部と、
前記取得されたソフトウェアを、前記第１の対象装置に適用させるソフトウェア適用制御部と、
表示部と、
前記ゲートウェイ装置，前記第１の装置，および前記第２の装置の接続構成を示す接続構成マップを、前記取得された構成情報に基づき前記表示部に表示させるマップ表示制御部であって、
前記表示部において、
前記第１の装置のシンボルを前記第２の装置のシンボルに比べて前記ゲートウェイ装置のシンボルにより近い位置に配置すると共に、前記ゲートウェイ装置，前記第１の装置，および前記第２の装置がそれぞれ有する前記接続インタフェースを判別可能であって、前記ゲートウェイ装置のシンボル，前記第１の装置のシンボル，および前記第２の装置のシンボルを、前記ゲートウェイ装置，前記第１の装置，前記第２の装置の接続態様に合致するように互いに接続した態様で前記接続構成マップを表示させるマップ表示制御部と、
を備える、管理装置。
【手続補正３】
【補正対象書類名】明細書
【補正対象項目名】００１４
【補正方法】変更
【補正の内容】
【００１４】
［適用例３］適用例１に記載の管理装置において、
前記ソフトウェア取得部は、前記サーバから、前記第１の対象装置のうち同一の装置で実行される複数のソフトウェアと、前記複数のソフトウェアの適用順序を示す情報である適用順序情報とを取得し、
前記ソフトウェア適用制御部は、前記取得された適用順序情報の示す前記適用順序にしたがって、前記複数のソフトウェアを、前記同一の装置に適用させる、管理装置。
【手続補正４】
【補正対象書類名】明細書
【補正対象項目名】００５４
【補正方法】変更
【補正の内容】
【００５４】
また、無線ＬＡＮ又は有線ＬＡＮに接続されている各装置には、ＭＡＣ（Media Access Control）アドレスが割当てられており、これら各装置は、Ｅｔｈｅｒｎｅｔ（登録商標）などのＩＥＥＥ８０２．３に準拠した通信を行うことができる。具体的には、ルータ１００の無線ＬＡＮ制御回路ＷＰ１には、ＭＡＣアドレスとして「ＭＡ１１」が、ルータ１００の接続用ポートＬＰ１には、ＭＡＣアドレスとして「ＭＡ１２」が、ルータ１００の接続用ポートＬＰ２には、ＭＡＣアドレスとして「ＭＡ１３」が、ルータ１００の移動体通信網制御回路ＤＰ１には、ＭＡＣアドレスとして「ＭＡ１４」が、それぞれ割り当てられている。また、ハードディスクレコーダ３０１には「ＭＡ１」が、ゲーム機３０２には「ＭＡ２」が、管理用ＰＣ３０３には「ＭＡ３」が、無線ＬＡＮアクセスポイント３０４には「ＭＡ３」が、デバイスサーバ３３１には「ＭＡ５」が、ＮＡＳ３３２には「ＭＡ６」が、パーソナルコンピュータ３１１には「ＭＡ７」が、パーソナルコンピュータ３１２には「ＭＡ８」が、それぞれ割り当てられている。なお、記載の便宜上、各ＭＡＣアドレスを模式的な値として示すが、実際には、４８ビットのアドレスが割り当てられている。
【手続補正５】
【補正対象書類名】明細書
【補正対象項目名】００７１
【補正方法】変更
【補正の内容】
【００７１】
メモリ３１は、図示しないＲＡＭやＥＥＰＲＯＭから成り、構成情報格納部３２を備えている。構成情報格納部３２は、デバイスサーバ３３１自身の構成情報及びデバイスサーバ３３１に接続されている装置についての構成情報を格納する。図４の例では、構成情報格納部３２には、デバイスサーバ３３１自身の構成情報の一部として、装置種別「デバイスサーバ」，装置名「ＤＳ」，ＭＡＣアドレス「ＭＡ５」，ＩＰアドレス「ＩＰ５」，動作状態「使用中」，適用ソフトウェア名「Ｓｎ８」，ソフトウェアバージョン「２．５」が格納されている。適用ソフトウェアとしては、例えば、デバイスサーバ３３１用のファームウェアを採用することができる。また、構成情報格納部３２には、デバイスサーバ３３１に接続されているテレビチューナ３４１についての構成情報（装置種別「テレビチューナ」，装置名「Ｔ２」，接続インタフェース種別「ＵＳＢ２．０」，適用ソフトウェア名「Ｓｎ９」，ソフトウェアバージョン「１．０１」）が格納されている。適用ソフトウェアとしては、例えば、テレビチューナ３４１用のファームウェアを採用することができる。
【手続補正６】
【補正対象書類名】明細書
【補正対象項目名】００７６
【補正方法】変更
【補正の内容】
【００７６】
図５は、図１に示すソフトウェア管理サーバの概略構成を示す説明図である。ソフトウェア管理サーバ７００は、システム５００の構成要素には該当しない。ソフトウェア管理サーバ７００は、コンピュータ本体７１０と、ディスプレイ７２１と、キーボード７２２と、マウス７２３とを備えている。コンピュータ本体７１０は、ＣＰＵ７１１と、ハードディスク７１２と、ＲＡＭ７１３と、ＲＯＭ７１４と、ＬＡＮ制御回路７１５と、入出力インタフェース部７１６とを備えている。
【手続補正７】
【補正対象書類名】明細書
【補正対象項目名】００９９
【補正方法】変更
【補正の内容】
【００９９】
このように、本実施例では、すべての配下装置がさらなる配下装置であって構成情報が未収集である配下装置を有しなくなるまで、ステップＳ１１０，Ｓ１１５の処理が繰り返し実行されることとなる。ここで、パーソナルコンピュータ３１１は、無線ＬＡＮアクセスポイント３０４の配下装置であると共に、マウス３１３を配下装置として有する装置でもある。したがって、無線ＬＡＮアクセスポイント３０４とパーソナルコンピュータ３１１との組み合わせ（ペア）では、無線ＬＡＮアクセスポイント３０４が請求項における第１の装置に、パーソナルコンピュータ３１１が請求項における第２の装置（前回の第２の装置）に、それぞれ相当し、パーソナルコンピュータ３１１とマウス３１３とのペアでは、パーソナルコンピュータ３１１は請求項における第１の装置（今回の第１の装置）に、マウス３１３は請求項における第２の装置（今回の第２の装置）に、それぞれ相当する。このような２つの装置のペアリングが順次スライドすることによって前回の第２の装置が次回の第１の装置となる処理は、各請求項における射程範囲に含まれる。
【手続補正８】
【補正対象書類名】明細書
【補正対象項目名】０１０１
【補正方法】変更
【補正の内容】
【０１０１】
図７に示すように、ステップＳ１１０において、構成情報が未収集である配下装置が配下装置リスト中にない場合には（ステップＳ１１０：ＮＯ）、管理用ＰＣ３０３のマップ生成部１１ｂは、マップ作成処理を実行し、既に受信しているルータ１００の構成情報及び配下装置リストに基づき、システム構成マップを作成する（ステップＳ１２０）。管理用ＰＣ３０３において、ユーザインタフェース制御部１１ｃは、ステップＳ１２０において作成されたシステム構成マップを、ディスプレイ２１に表示する（ステップＳ１２５）。
【手続補正９】
【補正対象書類名】明細書
【補正対象項目名】０１１７
【補正方法】変更
【補正の内容】
【０１１７】
図１４は、図１１に示すステップＳ９２０，Ｓ９２５の処理後のシステム構成マップを示す説明図である。図１４において、左側は、ステップＳ９２０実行後のシステム構成マップを示し、右側は、ステップＳ９２５実行後のシステム構成マップを示す。なお、図１４右側は、図１３左側と同じである。また、図１４右側は、図１０に示すシステム構成マップｍ１の接続態様表示領域ＡＲ１の表示内容と一致している。図１４左側（図１３右側）に示すように、ステップＳ９２０実行後には、ルータ１００との接続インタフェースが異なる装置同士が隣り合って配置されているが、ステップＳ９２５実行後には、ルータ１００との接続インタフェースごとに、まとめられ配置されている。
ステップＳ９２５の実行後、マップ生成部１１ｂは、システム５００を構成する各装置の動作状態を示す情報を、動作状態表示領域ＡＲ２中であって、接続態様表示領域ＡＲ１に表示された各装置を表すシンボルに対応する位置に、表示する。「各装置を表すシンボルに対応する位置」とは、具体的には、接続態様表示領域ＡＲ１に表示された各装置のシンボルの横、すなわち水平方向に並ぶ位置である（ステップＳ９３０）。
ステップＳ９３０の実行後、マップ生成部１１ｂは、システム５００を構成する各装置に適用されるソフトウェアのソフトウェア名及びバージョンを、ソフトウェア情報表示領域ＡＲ３中であって、接続態様表示領域ＡＲ１に表示された各装置を表すシンボルに対応する位置に、表示する（ステップＳ９３５）。このようにして、マップ生成部１１ｂは、システム構成マップを作成する（図７のＳ１２０）。
【手続補正１０】
【補正対象書類名】明細書
【補正対象項目名】０１２８
【補正方法】変更
【補正の内容】
【０１２８】
以上説明したように、システム５００において、管理用ＰＣ３０３は、ルータ１００に直接接続されていない装置（例えば、テレビチューナ３４１）の構成情報を、かかる装置及びルータ１００に直接接続されている装置（例えば、デバイスサーバ３３１）を介して間接的に取得するようにしているので、ルータ１００に直接接続するためのインタフェースに限らず、様々なインタフェースで接続された複数の装置を容易に管理することができる。また、管理用ＰＣ３０３により各装置を一元的に管理することができるので、接続インタフェース種別ごとに管理装置（管理用ソフトウェア）を用意することを要しない。したがって、システム５００の構築費用を抑えることができると共に、ユーザは、複数の管理装置（管理用ソフトウェア）の使用方法を覚えなくて済むため、家庭や小規模の企業などに容易に導入することができる。
【手続補正１１】
【補正対象書類名】明細書
【補正対象項目名】０１７７
【補正方法】変更
【補正の内容】
【０１７７】
図２４は、変形例におけるシステムの接続態様の一例を模式的に示す第１の説明図である。図２４では、ルータ１００とＮＡＳ３３２とプリンタ３４２との間の接続態様のみを示し、図１に示す他の装置の接続態様は省略している。図２４に示すように、ルータ１００とＮＡＳ３３２との間にレイヤ２スイッチ６１０を介在させる構成を採用することもできる。この構成においては、第１実施例におけるルータ１００から出力される構成情報の問い合わせ（Ｓ２０５）及びその応答（Ｓ３０５）に用いられるパケットや、管理用ＰＣ３０３から出力される構成情報の問い合わせ（Ｓ１１５）及びその応答（Ｓ３２０）に用いられるパケットは、レイヤ２スイッチ６１０では終端されずに、宛先となる装置（ＮＡＳ３３２，無線ＬＡＮアクセスポイント３０４，ルータ１００，管理用ＰＣ３０３）に届くこととなる。図２４に示す接続態様において、第１実施例の管理用ＰＣ３０３に表示されるシステム構成マップは、図１０に示すシステム構成マップｍ１と同じとなる。すなわち、システム構成マップｍ１には、レイヤ２スイッチ６１０を表わすシンボルは表示されない。なお、図２４に示す接続態様では、レイヤ２スイッチ６１０は、ルータ１００とＮＡＳ３３２とを１対１で接続するために用いられていたが、レイヤ２スイッチ６１０にルータ１００及びＮＡＳ３３２に加えて他の装置（例えば、デバイスサーバ３３１）を接続し、これら装置間における１対ｎの接続を実現することもできる。
【手続補正１２】
【補正対象書類名】明細書
【補正対象項目名】０１８３
【補正方法】変更
【補正の内容】
【０１８３】
図２８は、変形例において管理用ＰＣのディスプレイに表示されるシステム構成マップの一例を示す第２の説明図である。図２８に示すシステム構成マップｍ５は、図２７の接続態様を前提としたマップである。このシステム構成マップｍ５は、パーソナルコンピュータ３１１（Ｐ２）のシンボルの配下に、図２７のマウス８２１を表わすシンボルＳＢ１と、ＵＳＢメモリ８２２を表わすシンボルＳＢ２と、プリンタ８２３を表わすシンボルＳＢ３とが配置され、各シンボルＳＢ１〜ＳＢ３と、パーソナルコンピュータ３１１のシンボルとが、それぞれＵＳＢインタフェースを示す線によって接続されている点、及び各シンボルＳＢ１〜ＳＢ３に対応する位置に動作状態が表示されている点において、図１０に示すシステム構成マップｍ１と異なり、他の構成はシステム構成マップｍ１と同じである。なお、図２８では、説明の便宜上、システム構成マップの一部のみ表わしている。
【手続補正１３】
【補正対象書類名】図面
【補正対象項目名】図７
【補正方法】変更
【補正の内容】
【図７】
2012221185.tif 000001
【手続補正１４】
【補正対象書類名】図面
【補正対象項目名】図２２
【補正方法】変更
【補正の内容】
【図２２】
2012221185.tif 000002
【手続補正１５】
【補正対象書類名】明細書
【補正対象項目名】発明の名称
【補正方法】変更
【補正の内容】
【発明の名称】管理装置、管理方法、プログラムおよび記録媒体